(57)【要約】  平面をカバーするシステムであって、このシステムは、タイロッド（３）のネットワークにより所定位置に保持された支持ポール（２）によって形成された支持構造体に取り付けられ、支持ポール及びタイロッドの両方は、適したピンの手段によって面に固定され、システムは、複数の対の細長い支持要素（６、６´）を有し、この細長い対の支持要素は、支持ポール（２）に位置決めされる下部を備え、上端に接近して高くした位置で互いに連結されて、保護ネット又は保護シート（７）が位置決めされる複数の対の斜面を形成し、前記シートは、開位置では、支持構造体の下の領域をカバーし、閉位置では、コンパクトで同じ列の隣接したポール（２）の間に集められ、開位置から閉位置への移動及びその逆移動は、移動手段によって支持要素に沿ってシートをスライドして得られる。【選択図】図１
2019520039.tif 000002
【特許請求の範囲】
【請求項１】
平面をカバーするシステムであって、このシステムは、タイロッド（３）のネットワークにより所定位置に保持された支持ポール（２）によって形成された支持構造体に取り付けられ、前記支持ポール及び前記タイロッドの両方は、適したピンによって前記面に固定され、
前記システムは、複数の対の細長い支持要素（６、６´）を有し、この細長い対の支持要素は、前記支持ポール（２）に位置決めされる下部を備え、上端に接近して高くした位置で互いに連結されて、保護ネット又は保護シート（７）が位置決めされる複数の対の斜面を形成し、
前記シートは、開位置では、支持構造体の下の領域をカバーし、閉位置では、コンパクトになり同じ列の隣接したポール（２）の間に集められ、前記開位置から前記閉位置への移動及びその逆移動は、移動手段によって前記支持要素に沿って前記シートをスライドして得られる、システム。
【請求項２】
各対の要素の連結点及びその最大高さ又は頂部（６１）は、前記タイロッド（３）上に位置決めされる、請求項１記載のシステム。
【請求項３】
前記細長い要素は、前記ポールそれ自体の高さに対して実質的に中間の高さで前記ポールに拘束されている、請求項１記載のシステム。
【請求項４】
前記細長い要素は、金属ケーブル又は金属バー、又はセクションバーである、請求項１に記載のシステム。
【請求項５】
前記シート（７）は、前記細長い要素に沿ってスライド可能な複数の拘束手段（８）によって、前記細長い要素（６、６´）に結合している、請求項１に記載のシステム。
【請求項６】
前記拘束手段は、縁部に切り欠きが設けられた２つの環状セクター（８１、８２）で作られたスリーブを備え、前記セクターが互いに連結されているとき、前記シートの縁部でクリンプする溝（８３）を形成し、前記スリーブの貫通穴（８４）が前記細長い要素にスライドすることを可能にする、請求項５に記載のシステム。
【請求項７】
前記シートを移動させる移動手段は、前記細長い要素（６、６´）に実質的に隣接する位置に配置された環状ベルト（１０）を備え、環状ベルト１０は、前記細長い要素の長さに実質的に追従し、前記ポールに結合された駆動プーリー（１１）によって移動され、前記構造体の頂部（６１）に位置決めされた駆動プーリー（１２）によって駆動され、前記ベルトは、スライド可能な拘束手段（８）の全経路に沿って配置され、この拘束手段は、ブラケット（８５）によって前記ベルトに拘束される、請求項１に記載のシステム。
【請求項８】
各駆動プーリーは、電気モーター（１３）によって回転され、又はロッド（１４）によって手動で動かされる、請求項７に記載のシステム。
【請求項９】
前記細長い要素は、固定手段によって、前記ポートと前記タイロッドに固定され、前記固定手段は、
前記ポールが前記構造体の中間のポールである場合、前記ポール上でクリンプし、前記細長い要素（６、６´）の端部が固定され、アイレット（９１）が設けられたリング（９）と、
前記ポールが前記構造体の最終ポールである場合、前記ポール並びに地面に固定される前記支持要素を横切るブッシュ（９´）と、
下部で前記細長い要素のための固定アイレット（９１´）備えて、タイロッド（３）でクリンプする支持部（９´´）と、
を有する、請求項１に記載のシステム。
【請求項１０】
前記駆動プーリー（１３）は、前記構造体の前記頂部の支持部（９´´）に結合される、請求項７又は９に記載のシステム。
【請求項１１】
前記ネット又はシートは、農業で使用される遮光ネット又はシートである、請求項１に記載のシステム。
【請求項１２】
前記ネットは、５０〜９０％の遮光度で、紫外線に対して安定したポリエチレンで作られている、請求項１１に記載のシステム。
【請求項１３】
前記シートは、対ひょうネットである、請求項１に記載のシステム。
【請求項１４】
前記シートは、透明シートである、請求項１に記載のシステム。
【請求項１５】
前記支持構造体に、光起電性パネル又は風力ユニットのような電気的エネルギー発生ユニットが取り付けられている、請求項１に記載のシステム。
【発明の詳細な説明】
【技術分野】
【０００１】
本発明は、システムが取り付けられ、平面上に調節可能にカバーさせるために適用される支持構造体に関する。
【背景技術】
【０００２】
このようなカバーは、太陽光線から保護するための遮光を作り出すために適用されるカバー、又は温室のような異なる温度状態を作り出すために適用されるカバー、又はひょうのような天候事象に対して保護するために適用されるカバーである。保護され又はカバーされる表面は、好ましい実施形態によれば、実際には、農場である。特に、このような構造体は、農場それ自体に従って分配されたポール群によって得られる。
【０００３】
電気エネルギー発生ユニット、例えばこのような構造体の頂部に配置された光起電性パネル又は風力ユニットを支持するポールなどの農場に配置可能なポールで構成される構造体が知られている。
【０００４】
国際公開ＷＯ２０１０／１０３３７８号では、支持ポールによって形成された耐力構造体が記載され、この支持ポールがタイロッドのネットワークによって所定位置に保持されて、支持ポールとタイロッドとの両方がピンによって地面に固定されている。配置可能な太陽光パネルは、２軸周りを回転することが可能な、いわゆる「太陽追跡装置」タイプである。このような追跡装置は、その軸周りに回転できる主水平耐力管を備え、複数の第二の管が主管に接続され、主管に垂直に固定されて主管の軸周りを回転することができる。太陽光パネルは、このような第二の管に固定される。追跡装置の主管の端部は、このような支持ポールに当接して固定される。
【０００５】
国際公開ＷＯ２０１３／０７６５７３号では、風力モデルも支持するタイプの支持ポール構造体が記載されている。このような構造体は、「チェス盤」方式の二次元であり、農業車両、更に大きな車両の通過を可能にするような支持ポール間に距離があり、立たせられるので、農地上にも取り付けることができる。
【先行技術文献】
【特許文献】
【０００６】
【特許文献１】国際公開ＷＯ２０１０／１０３３７８号
【特許文献２】国際公開ＷＯ２０１３／０７６５７３号
【発明の概要】
【０００７】
出願人は、支持ポール間の空間の太陽照度を、移動可能機構とガイドによりこのようなポール及び/又はタイロッドに据え付けられる移動可能なキャンバス又はカーテンによって、好都合に調節できることに気づいた。
【０００８】
本発明の目的は、添付の請求項１の特徴を有し、農地又は類似する実質的に平坦な面を遮光するための構造体を提供することである。
【０００９】
本発明の特徴および利点は、添付の概略図を参照して、本発明の例示的および非限定的な実施形態の以下の説明からより明らかになるであろう。
【図面の簡単な説明】
【００１０】
【図１】本発明による遮光システムが取り付けられた状態の支持構造体の側面図である。
【図２】本発明による遮光システムが取り付けられた状態の支持構造体の斜視図である。
【図３】図１及び図２の構造体の一部を説明する図である。
【図４ａ】特に支持構造体の頂部のタイロッドにシステムを固定する手段を説明する図である。
【図４ｂ】特にシステムを支持構造体の最終ポールに固定する手段及びこのようなポールに結合されたシートを移動する移動手段を説明する図である。
【図４ｃ】特に支持構造体の中間のポールにシステムを固定する手段及びこのようなポールに結合された反対側のシートを移動する移動手段を説明する図である。
【図５】細長い支持要素に関するシートのためのスライド可能な拘束手段を説明する図である。
【図６】特に固定手段及びシステムのシートを支持構造体のポールへ移動する移動手段を説明する図である。
【図７】図５に示したようなシートのスライド可能な拘束手段を説明する図である。
【図８】ポールに結合されたシートを移動するための手動手段を説明する図である。
【発明を実施するための形態】
【００１１】
上述の図を参照すると、本発明によるカバーシステムは、支持ポール２によって形成された支持構造体に取り付けられて、この支持ポールはタイロッド３のネットワークにより所定位置に保持され、支持ポールとタイロッドとの両方が適したピンによって地面に固定される。このような構造体は、例えば「チェス盤」配列に従う二次元に構成され、農業車両、更に大きな車両の通過を可能にするような支持ポール間に距離があり、立たせられるので、農地上に取り付けることもできる。
【００１２】
このような構造体に、電気的エネルギー発生ユニットを取り付け又は位置決めすることができ、例えば、光起電性パネル又は風力ユニットは、このような構造体の頂部に配置される。このようなユニットは、支持ポールの頂部に直接的に配置させることも、又は一方のポールと他方との間に水平に位置決めすることもできる。
【００１３】
図示した例では、ソーラー追跡装置は、その軸回りに回転することができる主水平耐力管４を備える構造体に配置され、複数の第二の管５が主管に接続され、主管に垂直に固定されて主管の軸回りに回転される。太陽光パネルＰはこのような第二の管に固定される。
【００１４】
カバーシステムは、複数の対の細長い支持要素６及び６´を有し、この細長い支持要素は、このような支持ポール２に位置決めされる下部を備え、それらの上端に接近して高くした位置で互いに連結されて、保護ネット又は保護シート７が位置決めされる複数の対の斜面を形成し、シートは、開位置では、支持構造体の下の領域をカバーし、閉位置では、コンパクトになり同じ列の隣接したポール２の間に集められ、開位置から閉位置への移動及びその逆移動は、支持要素に沿ってシートをスライドして得られる。
【００１５】
一般的には、本発明のシステムに連結されるネットは、プラント下の農場栽培の必要条件に従って異なるタイプである。
【００１６】
一般的に、システムは、農業で使用される遮光ネット向けに設計されている。実際には、これらは、異なる遮光度（要件に応じて、５０％、７０％、９０％）を備えて、紫外線に対して安定したポリエチレンで作られたネットである。しかしながら、遮光ネットの代わりに、対ひょうネットが取り付けてもよいし、又は温室（この場合、横、縦方向のクロージャも備えなければならない）を作ることを望んでいるなら透明シートを取り付けてもよい。
【００１７】
各対の要素の連結点及び最大高さ又は頂部６１は、このようなタイロッド３上に好都合に位置決めされる。さらに、このような細長い要素は、ポールそれ自体の高さに対して実質的に中間の高さでポールに好都合に拘束されている。
【００１８】
図示された実施形態におけるこのような細長い要素は、金属ケーブル又は金属バーであるが、同等の方法で、セクションバーによって置き換えられる。
【００１９】
このような細長い要素に沿ってスライド可能な複数の拘束手段８によって、細長い要素６又は６´に結合している。図示された実施形態において、このような拘束手段は、縁部に切り欠きが設けられた２つの環状セクター８１及び８２で作られたスリーブを備えて、このようなセクターは、例えば螺子によって、互いに連結されているとき、シートの縁部でクリンプする溝８３を形成する。スリーブの貫通穴８４は、細長い要素上でスライドすることを可能にする。
【００２０】
明らかに、このような解決策は、同等の手段で成し遂げられる、例えばケーブル６又は６´の代わりの細長いセクションバー、シートにスライド可能な拘束手段が係合される、ダブテール形ガイドで成し遂げられる。
【００２１】
このようなスライド可能な拘束手段は、このようなポールに結合したシートを移動する移動手段によって、細長い要素に沿ってスリーブと互いに移動させる、スリーブに結合したブラケット８５も備える。
【００２２】
細長い要素は、固定手段によってポールとタイロッドに固定され、この固定手段は、ポールが構造体の中間のポールである場合、ポール上でクリンプし、細長い要素６又は６´の端部が固定され、アイレット９１が設けられるリング９を備える。ポールが構造体の最終ポールである場合、このような固定手段は、ポール並びに地面に固定される支持要素を横切るブッシュ９´を備えている。このような固定手段は、タイロッド３でクリンプする支持部９´´を備え、その下部で細長い要素６又は６´のための固定アイレット９１´´を有する。
【００２３】
開閉を可能するシートを移動させる移動手段は、少なくともシートの片側に対して、細長い要素６又は６´に隣接する位置に実質的に配置された環状ベルト１０を備え、環状ベルト１０は、細長い要素の長さに実質的に追従し、ポールに結合された駆動プーリー１１によって移動され、構造体の頂部６１、好都合な支持部９´´に位置決めされた駆動プーリー１２によって駆動される。ベルトは、スライド可能な拘束手段８の全経路に沿って配置され、拘束手段８は、上述したブラケット８５によってシートやこのようなベルトにも拘束される。
【００２４】
各駆動プーリーは、電気モーター１３によって回転され、好ましくは減速機構が設けられ、又はロッド１４によって手動で動かされる。駆動プーリー１３は、構造体の頂部の支持部９´´と好都合に結合される。
【図１】
2019520039.tif 000003
【図２】
2019520039.tif 000004
【図３】
2019520039.tif 000005
【図４ａ】
2019520039.tif 000006
【図４ｂ】
2019520039.tif 000007
【図４ｃ】
2019520039.tif 000008
【図５】
2019520039.tif 000009
【図６】
2019520039.tif 000010
【図７】
2019520039.tif 000011
【図８】
2019520039.tif 000012
【手続補正書】
【提出日】平成30年11月27日(2018.11.27)
【手続補正１】
【補正対象書類名】特許請求の範囲
【補正対象項目名】全文
【補正方法】変更
【補正の内容】
【特許請求の範囲】
【請求項１】
平面をカバーするシステムであって、このシステムは、タイロッド（３）のネットワークにより所定位置に保持された支持ポール（２）によって形成された支持構造体に取り付けられ、前記支持ポール及び前記タイロッドの両方は、適したピンによって前記面に固定され、
前記システムは、複数の対の細長い支持要素（６、６´）を有し、この細長い対の支持要素は、前記支持ポール（２）に位置決めされる下部を備え、上端に接近して高くした位置で互いに連結されて、保護ネット又は保護シート（７）が位置決めされる複数の対の斜面を形成し、
前記シートは、開位置では、支持構造体の下の領域をカバーし、閉位置では、コンパクトになり同じ列の隣接したポール（２）の間に集められ、前記開位置から前記閉位置への移動及びその逆移動は、移動手段によって前記支持要素に沿って前記シートをスライドして得られ、
前記支持構造体の頂部に、電気的エネルギー発生ユニットが取り付けられている、システム。
【請求項２】
各対の要素の連結点及びその最大高さ又は頂部（６１）は、前記タイロッド（３）上に位置決めされる、請求項１記載のシステム。
【請求項３】
前記細長い要素は、前記ポールそれ自体の高さに対して実質的に中間の高さで前記ポールに拘束されている、請求項１記載のシステム。
【請求項４】
前記細長い要素は、金属ケーブル又は金属バー、又はセクションバーである、請求項１に記載のシステム。
【請求項５】
前記シート（７）は、前記細長い要素に沿ってスライド可能な複数の拘束手段（８）によって、前記細長い要素（６、６´）に結合している、請求項１に記載のシステム。
【請求項６】
前記拘束手段は、縁部に切り欠きが設けられた２つの環状セクター（８１、８２）で作られたスリーブを備え、前記セクターが互いに連結されているとき、前記シートの縁部でクリンプする溝（８３）を形成し、前記スリーブの貫通穴（８４）が前記細長い要素にスライドすることを可能にする、請求項５に記載のシステム。
【請求項７】
前記シートを移動させる移動手段は、前記細長い要素（６、６´）に実質的に隣接する位置に配置された環状ベルト（１０）を備え、環状ベルト１０は、前記細長い要素の長さに実質的に追従し、前記ポールに結合された駆動プーリー（１１）によって移動され、前記構造体の頂部（６１）に位置決めされた駆動プーリー（１２）によって駆動され、前記ベルトは、スライド可能な拘束手段（８）の全経路に沿って配置され、この拘束手段は、ブラケット（８５）によって前記ベルトに拘束される、請求項１に記載のシステム。
【請求項８】
各駆動プーリーは、電気モーター（１３）によって回転され、又はロッド（１４）によって手動で動かされる、請求項７に記載のシステム。
【請求項９】
前記細長い要素は、固定手段によって、前記ポートと前記タイロッドに固定され、前記固定手段は、
前記ポールが前記構造体の中間のポールである場合、前記ポール上でクリンプし、前記細長い要素（６、６´）の端部が固定され、アイレット（９１）が設けられたリング（９）と、
前記ポールが前記構造体の最終ポールである場合、前記ポール並びに地面に固定される前記支持要素を横切るブッシュ（９´）と、
下部で前記細長い要素のための固定アイレット（９１´）備えて、タイロッド（３）でクリンプする支持部（９´´）と、
を有する、請求項１に記載のシステム。
【請求項１０】
前記駆動プーリー（１３）は、前記構造体の前記頂部の支持部（９´´）に結合される、請求項７又は９に記載のシステム。
【請求項１１】
前記ネット又はシートは、農業で使用される遮光ネット又はシートである、請求項１に記載のシステム。
【請求項１２】
前記ネットは、５０〜９０％の遮光度で、紫外線に対して安定したポリエチレンで作られている、請求項１１に記載のシステム。
【請求項１３】
前記シートは、対ひょうネットである、請求項１に記載のシステム。
【請求項１４】
前記シートは、透明シートである、請求項１に記載のシステム。
【請求項１５】
前記電気的エネルギー発生ユニットは、前記支持ポールの頂部に、直接的に配置された光起電性パネル又は風力ユニットである、請求項１に記載のシステム。
【国際調査報告】
2019520039.tif 000013
2019520039.tif 000014